(57)【特許請求の範囲】
【請求項１】
物体側から順に、
物体側に凸面を向けた正レンズからなる第１レンズと、
絞りと、
像側に凸面を向けた正レンズからなる第２レンズと、
物体側に凹面を向けた負メニスカスレンズからなる第３レンズと、
光軸近傍の形状が物体側に凸面を向けた正メニスカスレンズである第４レンズと
の４枚のみからなり、
前記第２レンズと前記第３レンズとの間の空気間隔が、光軸近傍よりも周辺部の方が小さくなるように構成され、
かつ、以下の条件を満足する
ことを特徴とする撮像レンズ。
ｆ１＞ｆ２＞｜ｆ３｜ ……（１）
１．０＜ｆ／ｆ２＜１．５ ……（２）
ただし、
ｆ１：第１レンズの焦点距離
ｆ２：第２レンズの焦点距離
ｆ３：第３レンズの焦点距離
ｆ：全系の焦点距離
とする。
【請求項２】
さらに以下の条件を満足する
ことを特徴とする請求項１に記載の撮像レンズ。
νｄ３＜３５ ……（３）
ただし、
νｄ３：第３レンズのｄ線に関するアッベ数
とする。
【請求項３】
さらに以下の条件を満足する
ことを特徴とする請求項１または２に記載の撮像レンズ。
０．２＜Ｂｆ／ＴＬ＜０．５ ……（４）
ただし、
Ｂｆ：バックフォーカス（空気換算長）
ＴＬ：全長（最も物体側の面から像面までの光軸上距離）
とする。
【請求項４】
さらに以下の条件を満足する
ことを特徴とする請求項１ないし３のいずれか１項に記載の撮像レンズ。
０．７＜Ｙｍａｘ／ｆ＜０．９ ……（５）
ただし、
Ｙｍａｘ：最大像高
とする。
【請求項５】
請求項１ないし４のいずれか１項に記載の撮像レンズと、
前記撮像レンズによって形成された光学像に応じた撮像信号を出力する撮像素子と
を備えたことを特徴とする撮像装置。
【発明の詳細な説明】
【技術分野】
【０００１】
本発明は、ＣＣＤ（Charge Coupled Device）やＣＭＯＳ（Complementary Metal Oxide Semiconductor）等の撮像素子上に被写体の光学像を結像させる撮像レンズ、およびその撮像レンズを搭載して撮影を行うデジタルスチルカメラやカメラ付き携帯電話機および情報携帯端末（ＰＤＡ：Personal Digital Assistance）等の撮像装置に関する。
【背景技術】
【０００２】
近年、パーソナルコンピュータの一般家庭等への普及に伴い、撮影した風景や人物像等の画像情報をパーソナルコンピュータに入力することができるデジタルスチルカメラが急速に普及している。また、携帯電話に画像入力用のカメラモジュールが搭載されることも多くなっている。このような撮像機能を有する機器には、ＣＣＤやＣＭＯＳなどの撮像素子が用いられている。近年、これらの撮像素子のコンパクト化が進み、撮像機器全体ならびにそれに搭載される撮像レンズにも、コンパクト性が要求されている。また同時に、撮像素子の高画素化も進んでおり、撮像レンズの高解像、高性能化が要求されている。例えば２メガピクセル以上、さらに好適には５メガピクセル以上の高画素に対応した性能が要求されている。
【０００３】
このような要求を満足するために、従来では、全体として４枚のレンズを用いた構成の撮像レンズが開発されている（特許文献１ないし３参照）。
【０００４】
【特許文献１】特開２００２−２２８９２２号公報
【特許文献２】特開２００４−５３８１３号公報
【特許文献３】特開２００４−１０２２３４号公報
【発明の開示】
【発明が解決しようとする課題】
【０００５】
従来、４枚構成の撮像レンズにおいて、開口絞りを最も物体側に配置したものが知られている（特許文献１参照）。しかしながら、広角化になるに従い、開口絞りを最も物体側に配置すると、製造誤差やレンズ面の位置ずれに対する性能劣化の感度が大きくなりやすく、製造適正が悪くなる傾向となる。一方、特許文献２，３には、開口絞りを第１レンズと第２レンズとの間に配置した撮像レンズが開示されているが、レンズ系内で相対的に第１レンズのパワーが強く、広角化を図ろうとすると、特に像面湾曲の性能劣化が生じてしまい、性能的に不十分なレンズ系となってしまう。広角化を図ったとしても、高性能な、例えば２メガピクセル以上、さらに好ましくは５メガピクセルから１０メガピクセル程度の高画素にも対応した性能のレンズの開発が望まれている。
【０００６】
本発明はかかる問題点に鑑みてなされたもので、その目的は、広角化を図りやすく、かつ製造適正の良いレンズ系を実現できるようにした撮像レンズ、およびその撮像レンズを搭載して高解像の撮像画像を得ることができる撮像装置を提供することにある。
【課題を解決するための手段】
【０００７】
本発明による撮像レンズは、物体側から順に、物体側に凸面を向けた正レンズからなる第１レンズと、絞りと、像側に凸面を向けた正レンズからなる第２レンズと、物体側に凹面を向けた負メニスカスレンズからなる第３レンズと、光軸近傍の形状が物体側に凸面を向けた正メニスカスレンズである第４レンズとを備え、第２レンズと第３レンズとの間の空気間隔が、光軸近傍よりも周辺部の方が小さくなるように構成され、かつ、以下の条件を満足するものである。ただし、ｆ１は第１レンズの焦点距離、ｆ２は第２レンズの焦点距離、ｆ３は第３レンズの焦点距離、ｆは全系の焦点距離とする。
とする。
ｆ１＞ｆ２＞｜ｆ３｜  ……（１）
１．０＜ｆ／ｆ２＜１．５  ……（２）
【０００８】
本発明による撮像レンズでは、全体として４枚構成のレンズ系において、各レンズ要素の構成が適切なものとされていることで、広角化を図りやすく、製造適正の良いレンズ系を得やすくなる。特に、絞りを第１レンズと第２レンズとの間に配置していることで、製造誤差等に対する性能劣化の感度が小さくなり、製造適正に優れている。また、レンズ系内で相対的に第１レンズのパワーを弱くする一方、第２レンズおよび第３レンズのパワーを強くすることで、広角化に伴う像面湾曲の性能劣化等を改善し、広角化しやすくなっている。
そして、さらに、次の好ましい構成を適宜採用して満足することで、光学性能をより良好なものとすることができると共に、広角化を図りやすくなる。
【０００９】
本発明による撮像レンズは、以下の条件を満足することが好ましい。これにより、色収差の補正に有利となる。ただし、νｄ３は第３レンズのｄ線に関するアッベ数とする。
νｄ３＜３５  ……（３）
【００１０】
また、以下の条件を満足することが好ましい。これにより、全長の短縮化を図りつつ、フィルタ等の光学部材を配置するのに必要なバックフォーカスが確保される。
０．２＜Ｂｆ／ＴＬ＜０．５  ……（４）
ただし、Ｂｆはバックフォーカス（空気換算長）、ＴＬは全長（最も物体側の面から像面までの光軸上距離）とする。
【００１１】
また、本発明による撮像レンズは、以下の条件を満足し、比較的広角側での使用に適している。
０．７＜Ｙｍａｘ／ｆ＜０．９  ……（５）
ただし、Ｙｍａｘは最大像高とする。
【００１２】
本発明による撮像装置は、本発明による撮像レンズと、この撮像レンズによって形成された光学像に応じた撮像信号を出力する撮像素子とを備えたものである。
本発明による撮像装置では、本発明の撮像レンズによって得られた比較的広角で高解像の光学像に基づいて高解像の撮像信号が得られる。
【発明の効果】
【００１３】
本発明の撮像レンズによれば、全体として４枚構成のレンズ系において、各レンズ要素の構成を最適化し、特に絞りを第１レンズと第２レンズとの間に配置すると共に、レンズ系内で相対的に第１レンズのパワーを弱くする一方、第２レンズおよび第３レンズのパワーを強くするようにしたので、広角化を図りやすく、製造適正の良いレンズ系を実現できる。
【００１４】
また、本発明の撮像装置によれば、上記本発明の高性能の撮像レンズによって形成された光学像に応じた撮像信号を出力するようにしたので、比較的広角で高解像の撮影画像を得ることができる。
【発明を実施するための最良の形態】
【００１５】
以下、本発明の実施の形態について図面を参照して詳細に説明する。
図１は、本発明の一実施の形態に係る撮像レンズの第１の構成例を示している。この構成例は、後述の第１の数値実施例（図６（Ａ），（Ｂ））のレンズ構成に対応している。図２〜図５は、第２〜第５の構成例を示しており、後述の第２〜第５の数値実施例（図７（Ａ），（Ｂ）〜図１０（Ａ），（Ｂ））のレンズ構成に対応している。図１〜図５において、符号Ｒｉは、最も物体側の構成要素の面を１番目として、像側（結像側）に向かうに従い順次増加するようにして符号を付したｉ番目の面の曲率半径を示す。符号Ｄｉは、ｉ番目の面とｉ＋１番目の面との光軸Ｚ１上の面間隔を示す。
【００１６】
本実施の形態に係る撮像レンズは、ＣＣＤやＣＭＯＳ等の撮像素子を用いた各種撮像機器、特に、比較的小型の携帯端末機器、例えばデジタルスチルカメラ、カメラ付き携帯電話機、およびＰＤＡ等に用いて好適なものである。この撮像レンズは、光軸Ｚ１に沿って、物体側から順に、第１レンズＧ１と、第２レンズＧ２と、第３レンズＧ３と、第４レンズＧ４とを備えている。この撮像レンズはまた、絞りＳｔを有している。絞りＳｔは、光学的な開口絞りであり、第１レンズＧ１と第２レンズＧ２との間に配置されている。
【００１７】
本実施の形態に係る撮像装置は、本実施の形態に係る撮像レンズと、この撮像レンズによって形成された光学像に応じた撮像信号を出力するＣＣＤなどの撮像素子１００とを備えて構成される。撮像素子１００は、この撮像レンズの結像面（撮像面）に配置される。第４レンズＧ４と撮像素子１００との間には、レンズを装着するカメラ側の構成に応じて、種々の光学部材ＧＦが配置されていても良い。例えば撮像面保護用のカバーガラスや赤外線カットフィルタなどの平板状の光学部材が配置されていても良い。この場合、光学部材ＧＦとして例えば平板状のカバーガラスに、赤外線カットフィルタやＮＤフィルタ等のフィルタ効果のあるコートが施されたものを使用しても良い。
【００１８】
また、この撮像レンズにおいて、第１レンズＧ１ないし第４レンズＧ４のすべて、または少なくとも１つのレンズ面に赤外線カットフィルタやＮＤフィルタ等のフィルタ効果のあるコートや、反射防止のコートが施されていても良い。
【００１９】
この撮像レンズにおいて、第１レンズＧ１は物体側に凸面を向けた正レンズからなる。第１レンズＧ１は物体側に凸面を向けた正メニスカスレンズであることが好ましい。第２レンズＧ２は、像側に凸面を向けた正レンズからなる。第２レンズＧ２は像側に凸面を向けた正メニスカスレンズであることが好ましい。第３レンズＧ３は、物体側に凹面を向けた負メニスカスレンズからなる。
【００２０】
第４レンズＧ４は、光軸近傍の形状が物体側に凸面を向けた正メニスカスレンズとされている。第４レンズＧ４の両面は非球面形状とされている。第１レンズＧ１、第２レンズＧ２、および第３レンズＧ３のそれぞれについても、少なくとも１面に非球面を含んでいることが好ましい。第４レンズＧ４は、像側の面が、光軸近傍では像側に凹形状で、周辺部では像側に凸形状となるような非球面とされていることが好ましい。また物体側の面が、光軸近傍において物体側に凸形状であると共に周辺部では物体側に凹形状となるような非球面とされていることが好ましい。ここで、非球面形状に関しては、特に、第４レンズＧ４を中心部と周辺部とで異なる形状に変化させることで、像面の中心部から周辺部にわたって像面湾曲を良好に補正することができる。第４レンズＧ４では、第１レンズＧ１、第２レンズＧ２、および第３レンズＧ３に比べて、画角ごとに光束が分離される。このため、撮像素子１００に最も近い最終レンズ面である第４レンズＧ４の像側の面を、光軸近傍において像側に凹形状で周辺部において像側に凸形状となるようにすることで、画角ごとの収差補正が適切になされ、光束の撮像素子への入射角度が一定の角度以下に制御される。従って、結像面全域における光量むらを軽減することができると共に、像面湾曲や歪曲収差等の補正に有利となる。
【００２１】
本実施の形態に係る撮像レンズは、以下の条件を満足し、レンズ系内で相対的に第１レンズＧ１のパワーを弱くする一方、第２レンズＧ２および第３レンズＧ３のパワーが比較的強くなるような構成とされている。第３レンズＧ３のパワーを強くするために、第２レンズＧ２と第３レンズＧ３との間の空気間隔Ｄ５は、光軸近傍よりも周辺部の方が小さくなるように構成されている。そのような構成とすることで、第３レンズＧ３の物体側の面の曲率半径Ｒ６の絶対値が、第２レンズＧ２の像側の面の曲率半径Ｒ５の絶対値よりも小さくなり、第３レンズＧ３のパワーを強くすることができる。
ｆ１＞ｆ２＞｜ｆ３｜  ……（１）
１．０＜ｆ／ｆ２＜１．５  ……（２）
ただし、ｆ１は第１レンズＧ１の焦点距離、ｆ２は第２レンズＧ２の焦点距離、ｆ３は第３レンズＧ３の焦点距離、ｆは全系の焦点距離とする。
【００２２】
また、以下の条件を満足することが好ましい。ただし、νｄ３は第３レンズＧ３のｄ線に関するアッベ数とする。また、Ｂｆはバックフォーカス（空気換算長）、ＴＬは全長（最も物体側の面から像面までの光軸上距離）とする。Ｙｍａｘは最大像高とする。
νｄ３＜３５  ……（３）
０．２＜Ｂｆ／ＴＬ＜０．５  ……（４）
０．７＜Ｙｍａｘ／ｆ＜０．９  ……（５）
【００２３】
次に、以上のように構成された撮像レンズの作用および効果、特に条件式に関する作用および効果をより詳細に説明する。
【００２４】
本実施の形態に係る撮像レンズでは、全体として４枚構成のレンズ系において、各レンズ要素の構成が適切なものとされていることで、広角化を図りやすく、製造適正の良いレンズ系を得やすくなる。特に、絞りＳｔを第１レンズＧ１と第２レンズＧ２との間に配置していることで、製造誤差等に対する性能劣化の感度が小さくなり、製造適正に優れている。
【００２５】
また、条件式（１），（２）を満足して、レンズ系内で相対的に第１レンズＧ１のパワーを弱くする一方、第２レンズＧ２および第３レンズＧ３のパワーを強くすることで、広角化に伴う像面湾曲の性能劣化等を改善し、広角化しやすくなっている。より詳しくは、条件式（１）における、ｆ１＞ｆ２の関係を満たすことで、正レンズのうち、第２レンズＧ２が主たる結像機能を占めることになり、広角化を図った場合に像面湾曲の少ない性能の良いレンズ系が得られる。ｆ１＞ｆ２の関係が逆転すると像面湾曲が大きなレンズ系となってしまう。また、ｆ２＞｜ｆ３｜の関係を満たすことで、軸上色収差と倍率色収差を軽減することができ高画素化に対応したレンズ系となる，ｆ２＞｜ｆ３｜の関係が逆転すると、色収差の大きなレンズ系となってしまう。
【００２６】
条件式（２）は、全体に占める第２レンズＧ２のパワーが大きいことを意味している。条件式（２）の下限を下回ると第１レンズＧ１にパワーが集中して像面湾曲が大きいレンズ系となってしまう。条件式（２）の上限を超えて第２レンズＧ２のパワーが強くなりすぎると軸上色収差と倍率色収差の大きいレンズ系となってしまう。より良好な収差補正を行うために、第２レンズＧ２に関して以下の条件式（２Ａ）を満たすことが好ましい。
１．０＜ｆ／ｆ２＜１．３  ……（２Ａ）
【００２７】
条件式（３）は、第３レンズＧ３の適切な分散を規定している。条件式（３）の上限を超えると色収差補正が不十分となってしまう。より良好な色収差補正を行うためには、第３レンズＧ３のアッベ数νｄ３が以下の条件式（３Ａ）を満たすことが好ましい。
νｄ３＜３０  ……（３Ａ）
【００２８】
条件式（４）は、全長ＴＬに占めるバックフォーカスＢｆの割合を示している。なお、条件式（４）におけるバックフォーカスＢｆの値は、フィルタやカバーガラス等が配置されている場合には空気換算長とする。条件式（４）の下限を下回るとバックフォーカスが短くなり，赤外カットフィルタやローパスフィルタやカバーガラス等を配置するスペースが確保できなくなってしまう。また逆に上限を超えてバックフォーカスが長くなりすぎると、全長が長くなりすぎて商品価値の低い設計となってしまう。バックフォーカスＢｆに関しては、以下の条件式（４Ａ）を満たすことがより好ましい。
０．３＜Ｂｆ／ＴＬ＜０．５  ……（４Ａ）
【００２９】
条件式（５）は、撮影画角に相当するものである。本実施の形態に係る撮像レンズは、条件式（５）を満足するような、比較的広角側での使用に適している。
【００３０】
以上のようにして、本実施の形態に係る撮像レンズによれば、全体として４枚構成のレンズ系において、各レンズ要素の構成を最適化するようにしたので、広角化を図りやすく、製造適正の良いレンズ系を実現できる。また、適宜好ましい条件を満足することで、広角化を図ったとしても、高性能な、例えば２メガピクセル以上、さらに好適には５メガピクセルから１０メガピクセルの高画素にも対応した性能を得ることができる。また、本実施の形態に係る撮像装置によれば、本実施の形態に係る高性能の撮像レンズによって形成された光学像に応じた撮像信号を出力するようにしたので、比較的広角で高解像の撮影画像を得ることができる。
【実施例】
【００３１】
次に、本実施の形態に係る撮像レンズの具体的な数値実施例について説明する。以下では、複数の数値実施例をまとめて説明する。
【００３２】
図６（Ａ），（Ｂ）は、図１に示した撮像レンズの構成に対応する具体的なレンズデータを示している。特に図６（Ａ）にはその基本的なレンズデータを示し、図６（Ｂ）には非球面に関するデータを示す。図６（Ａ）に示したレンズデータにおける面番号Ｓｉの欄には、実施例１に係る撮像レンズについて、最も物体側の構成要素の面を１番目として、像側に向かうに従い順次増加するようにして符号を付したｉ番目の面の番号を示している。曲率半径Ｒｉの欄には、図１において付した符号Ｒｉに対応させて、物体側からｉ番目の面の曲率半径の値（ｍｍ）を示す。面間隔Ｄｉの欄についても、同様に物体側からｉ番目の面Ｓｉとｉ＋１番目の面Ｓｉ＋１との光軸上の間隔（ｍｍ）を示す。Ｎｄｊの欄には、物体側からｊ番目の光学要素のｄ線（５８７．６ｎｍ）に対する屈折率の値を示す。νｄｊの欄には、物体側からｊ番目の光学要素のｄ線に対するアッベ数の値を示す。
【００３３】
この実施例１に係る撮像レンズは、第１レンズＧ１ないし第４レンズＧ４の両面がすべて非球面形状となっている。図６（Ａ）の基本レンズデータには、これらの非球面の曲率半径として、光軸近傍の曲率半径の数値を示している。
【００３４】
図６（Ｂ）には実施例１の撮像レンズにおける非球面データを示す。非球面データとして示した数値において、記号“Ｅ”は、その次に続く数値が１０を底とした“べき指数”であることを示し、その１０を底とした指数関数で表される数値が“Ｅ”の前の数値に乗算されることを示す。例えば、「１．０Ｅ−０２」であれば、「１．０×１０-2」であることを示す。
【００３５】
実施例１の撮像レンズの非球面データとしては、以下の式（Ａ）によって表される非球面形状の式における各係数Ｂn，Ｋの値を記す。Ｚは、より詳しくは、光軸から高さｈの位置にある非球面上の点から、非球面の頂点の接平面（光軸に垂直な平面）に下ろした垂線の長さ（ｍｍ）を示す。
Ｚ＝ＣＣ・ｈ2／｛１＋（１−Ｋ・ＣＣ2・ｈ2）1/2｝＋ΣＢn・ｈn  ……（Ａ）
（ｎ＝３以上の整数）
ただし、
Ｚ：非球面の深さ（ｍｍ）
ｈ：光軸からレンズ面までの距離（高さ）（ｍｍ）
Ｋ：離心率
ＣＣ：近軸曲率＝１／Ｒ
（Ｒ：近軸曲率半径）
Ｂn：第ｎ次の非球面係数
【００３６】
実施例１の撮像レンズは、非球面係数ＢnとしてＢ3〜Ｂ16までの次数を有効に用いて表されている。
【００３７】
以上の実施例１の撮像レンズと同様にして、図２に示した撮像レンズの構成に対応する具体的なレンズデータを実施例２として、図７（Ａ），（Ｂ）に示す。また同様にして、図３〜図５に示した撮像レンズの構成に対応する具体的なレンズデータを実施例３〜５として、図８（Ａ），（Ｂ）〜図１０（Ａ），（Ｂ）に示す。これらの実施例２〜５では、実施例１の撮像レンズと同様、第１レンズＧ１ないし第４レンズＧ４の両面がすべて非球面形状となっている。
【００３８】
また、図１１には、上述の各条件式に関する値を、各実施例についてまとめたものを示す。図１１から分かるように、各実施例の値が各条件式の数値範囲内となっている。
【００３９】
図１２（Ａ）〜図１２（Ｃ）はそれぞれ、実施例１の撮像レンズにおける球面収差、非点収差、およびディストーション（歪曲収差）を示している。なお、非点収差図において、Ｓはサジタル方向、Ｔはタンジェンシャル方向の収差を示す。Ｙは像高を示す。
【００４０】
同様にして、実施例２〜５に係る撮像レンズにおける諸収差を、図１３（Ａ），（Ｂ），（Ｃ）〜図１６（Ａ），（Ｂ），（Ｃ）に示す。
【００４１】
以上の各数値データおよび各収差図から分かるように、各実施例について、各レンズ要素の構成が最適化され、良好な光学性能を保持しながら、広角で小型化の図られたレンズ系が実現できている。特に、８メガピクセル程度の画素数に好適な性能が得られている。
【００４２】
なお、本発明は、上記実施の形態および各実施例に限定されず種々の変形実施が可能である。例えば、各レンズ成分の曲率半径、面間隔および屈折率の値などは、上記各数値実施例で示した値に限定されず、他の値をとり得る。
【００４３】
また、上記各実施例では、すべて固定焦点で使用する前提での記載とされているが、フォーカス調整可能な構成とすることも可能である。例えばレンズ系全体を繰り出したり、一部のレンズを光軸上で動かしてオートフォーカス可能な構成とすることも可能である。
また、上記各実施例では、８メガピクセル程度の画素数に好適な設計例を示したが、本発明の撮像レンズは、例えば１０メガピクセル程度のより高い画素数であっても良好な性能が得られる。また、８メガピクセルよりも低い画素数であっても良好な性能が得られる。
【図面の簡単な説明】
【００４４】
【図１】本発明の一実施の形態に係る撮像レンズの第１の構成例を示すものであり、実施例１に対応するレンズ断面図である。
【図２】本発明の一実施の形態に係る撮像レンズの第２の構成例を示すものであり、実施例２に対応するレンズ断面図である。
【図３】本発明の一実施の形態に係る撮像レンズの第３の構成例を示すものであり、実施例３に対応するレンズ断面図である。
【図４】本発明の一実施の形態に係る撮像レンズの第４の構成例を示すものであり、実施例４に対応するレンズ断面図である。
【図５】本発明の一実施の形態に係る撮像レンズの第５の構成例を示すものであり、実施例５に対応するレンズ断面図である。
【図６】本発明の実施例１に係る撮像レンズのレンズデータを示す図であり、（Ａ）は基本的なレンズデータを示し、（Ｂ）は非球面のデータを示す。
【図７】本発明の実施例２に係る撮像レンズのレンズデータを示す図であり、（Ａ）は基本的なレンズデータを示し、（Ｂ）は非球面のデータを示す。
【図８】本発明の実施例３に係る撮像レンズのレンズデータを示す図であり、（Ａ）は基本的なレンズデータを示し、（Ｂ）は非球面のデータを示す。
【図９】本発明の実施例４に係る撮像レンズのレンズデータを示す図であり、（Ａ）は基本的なレンズデータを示し、（Ｂ）は非球面のデータを示す。
【図１０】本発明の実施例５に係る撮像レンズのレンズデータを示す図であり、（Ａ）は基本的なレンズデータを示し、（Ｂ）は非球面のデータを示す。
【図１１】条件式に関する値を各実施例についてまとめて示した図である。
【図１２】本発明の実施例１に係る撮像レンズの諸収差を示す収差図であり、（Ａ）は球面収差、（Ｂ）は非点収差、（Ｃ）はディストーションを示す。
【図１３】本発明の実施例２に係る撮像レンズの諸収差を示す収差図であり、（Ａ）は球面収差、（Ｂ）は非点収差、（Ｃ）はディストーションを示す。
【図１４】本発明の実施例３に係る撮像レンズの諸収差を示す収差図であり、（Ａ）は球面収差、（Ｂ）は非点収差、（Ｃ）はディストーションを示す。
【図１５】本発明の実施例４に係る撮像レンズの諸収差を示す収差図であり、（Ａ）は球面収差、（Ｂ）は非点収差、（Ｃ）はディストーションを示す。
【図１６】本発明の実施例５に係る撮像レンズの諸収差を示す収差図であり、（Ａ）は球面収差、（Ｂ）は非点収差、（Ｃ）はディストーションを示す。
【符号の説明】
【００４５】
Ｇ１…第１レンズ、Ｇ２…第２レンズ、Ｇ３…第３レンズ、Ｇ４…第４レンズ、ＧＦ…光学部材、Ｓｔ…開口絞り、Ｒｉ…物体側から第ｉ番目のレンズ面の曲率半径、Ｄｉ…物体側から第ｉ番目と第ｉ＋１番目のレンズ面との面間隔、Ｚ１…光軸、１００…撮像素子。
【図１】
0005043710.tif 000002
【図２】
0005043710.tif 000003
【図３】
0005043710.tif 000004
【図４】
0005043710.tif 000005
【図５】
0005043710.tif 000006
【図６】
0005043710.tif 000007
【図７】
0005043710.tif 000008
【図８】
0005043710.tif 000009
【図９】
0005043710.tif 000010
【図１０】
0005043710.tif 000011
【図１１】
0005043710.tif 000012
【図１２】
0005043710.tif 000013
【図１３】
0005043710.tif 000014
【図１４】
0005043710.tif 000015
【図１５】
0005043710.tif 000016
【図１６】
0005043710.tif 000017